(57)【要約】【課題】  プレート上に形成された複数の流路毎に異なった温度設定をすることができ、煩雑な準備作業が不要で、正確且つ短時間に結果が得られる、小型で軽量、安価な電気泳動装置を提供する。【解決手段】  電圧印加手段３０を内蔵した、加熱冷却デバイス３３を持つ流路温度調節部４５を、プレート１０を搭載するトレイ２２の上部に配置し、前記流路温度調節部４５に、該流路温度調節部４５から前記プレート１０上の複数の電気泳動用の流路それぞれに対して温度制御された空気流を吹き付けるための、該流路１１０と同数の吹き出し開口部４６を設け、該各吹き出し開口部４６の内壁には、前記流路温度調節部４５にて冷却された空気を所望の温度に加熱するヒータ４８を設けるようにし、プレート１０上の各流路を、異なった温度設定で温度制御する。【選択図】    図１
2007187587.tif 000002
【特許請求の範囲】
【請求項１】
流路に充填された緩衝剤中に試料を定量添加し、該試料を電圧印加により電気泳動させる電気泳動装置において、
前記流路が複数形成されたプレートと、
前記プレートを搭載するためのトレイと、
前記プレートの流路内の緩衝剤に電圧を印加するための電圧印加手段と、
前記プレートに形成された複数の流路の各々に、温度制御された空気流を吹き出す複数個の吹き出し開口部を有し、該各吹き出し開口部から吹き出す空気流を該各流路に吹き付けて、前記複数の流路の各々を各所定温度に調節する流路温度調節部と、を備える、
ことを特徴とする電気泳動装置。
【請求項２】
請求項１に記載の電気泳動装置において、
前記流路温度調節部の前記複数個の吹き出し開口部の各々に、前記空気流を各所定温度に加熱するヒータ手段を備える、
ことを特徴とする電気泳動装置。
【請求項３】
請求項２に記載の電気泳動装置において、
前記流路温度調節部は、少なくとも一つの冷却手段と、該冷却手段によって冷却される共通室とを有し、
前記共通室で所定温度に冷却された空気流を、前記複数個の吹き出し開口部の各々に設けられた前記ヒータ手段で前記各所定温度に加熱し、該各所定温度に温度制御された空気流を、前記プレートの各流路に吹きつける、
ことを特徴とする電気泳動装置。
【請求項４】
請求項１に記載の電気泳動装置において、
前記流路に対して光を照射する光照射手段と、該光の照射により前記試料から生じる蛍光を検出する蛍光検出手段とを有し、前記流路中を電気泳動する前記試料の光学検出を行なう光学検出部と、
前記電圧印加手段を、前記プレートに形成された流路に対して接触させる、または離間させる電圧印加接触・離間手段と、をさらに備え、
前記電圧印加接触・離間手段によって、前記電圧印加手段を前記流路に対して接触させて、前記試料を電圧印加により電気泳動させた後、該電圧印加接触・離間手段によって、前記電圧印加手段を前記流路から離間させ、前記光学検出部により光学検出を行う、
ことを特徴とする電気泳動装置。
【請求項５】
請求項１に記載の電気泳動装置において、
前記電圧印加手段は、前記トレイの上に配置された前記流路温度調節部の内部に配置されており、該流路温度調節部の前記吹き出し開口部を介して、前記プレートの流路内の緩衝剤に電圧を印加する、
ことを特徴とする電気泳動装置。
【請求項６】
請求項１に記載の電気泳動装置において、
前記複数個の吹き出し開口部は、前記プレートの各流路をほぼ覆う面積を持つ、
ことを特徴とする電気泳動装置。
【請求項７】
請求項６に記載の電気泳動装置において、
前記吹き出し開口部の出口形状は、前記吹き出し開口部から吹き出す空気が、前記プレートの中心から外側へ向かう方向に流れるように、斜めにカットされている、
ことを特徴とする電気泳動装置。
【請求項８】
流路に充填された緩衝剤中に試料を定量添加し、該試料を電圧印加により電気泳動させる電気泳動装置に用いられる、前記流路が複数個形成された電気泳動用プレートにおいて、
該電気泳動用プレートの前記形成された隣接する流路の間に、スリットが設けられている、
ことを特徴とする電気泳動用プレート。
【請求項９】
請求項８に記載の電気泳動用プレートにおいて、
前記流路間に設けられた前記スリットに、断熱材が嵌め込まれている、
ことを特徴とする電気泳動用プレート。
【請求項１０】
請求項９に記載の電気泳動用プレートにおいて、
前記断熱材は、前記電気泳動用プレートを構成する材料より断熱効果の高い材料で構成されている、
ことを特徴とする電気泳動用プレート。
【請求項１１】
流路に充填された緩衝剤中に試料を定量添加し、該試料を電圧印加により電気泳動させる電気泳動装置に用いられる、前記流路が複数個形成された電気泳動用プレートにおいて、
該電気泳動用プレートの前記形成された隣接する流路の間に、該プレートの厚みを増やした領域が設けられている、
ことを特徴とする電気泳動用プレート。
【発明の詳細な説明】
【技術分野】
【０００１】
本発明は、ＤＮＡやタンパクその他の生体サンプルを緩衝剤中で電気泳動させる電気泳動装置、及び該電気泳動装置に用いる電気泳動用プレートに関し、特に、電気泳動条件等が異なる複数の生体サンプルを同時に電気泳動させることが可能な電気泳動装置、及び電気泳動用プレートに関する。
【背景技術】
【０００２】
一般的な生体サンプルを考えた場合、大きくはＤＮＡとタンパクが存在している。そして、近年、分子生物学の急速な進展によって、様々な疾患において遺伝子の関与がかなり正確に理解されるようになり、遺伝子をターゲットにした医療に注目が集まるようになってきている。ＤＮＡに関して、現在ＳＮＰｓ（ｓｉｎｇｌｅ  ｎｕｃｌｅｏｔｉｄｅ  ｐｏｌｙｍｏｒｐｈｉｓｍの略で「１塩基多型」と一般に訳されており、遺伝子における１暗号（１塩基）の違いの総称である。）が注目されている。その理由としては、ＳＮＰｓの分類により、多くの疾患に対する罹患率や各個人の薬剤に対する効果や感受性を予測でき、さらには、地球上に親子兄弟といえども全く同じＳＮＰｓを持つ人間は絶対に存在しないことから個人の完全な特定ができると考えられているからである。
【０００３】
現在ＳＮＰｓを調べる方法としては、ＤＮＡの塩基配列を端から直接読んでいくシーケンシング（塩基配列の決定）が最も一般的に用いられている。そして、前記シーケンシングを行う方法としては、いくつかの報告があるが、もっとも一般的に行われているのは、ジデオキシ法（Ｓａｎｇｅｒ法）である。なお、シーケンシングは、このＳａｎｇｅｒ法を含め何れの方法においても、分離能の高い変性ポリアクリルアミドゲル電気泳動か、キャピラリー電気泳動によって１塩基長の長さの違いを分離・識別する技術が基になって成り立っている。
【０００４】
また他の方法として、アフィニティリガンドキャピラリー電気泳動法がある。
アフィニティリガンドキャピラリー電気泳動は、分子間親和力、とくに生態系における特異的親和力（酵素と基質、抗原と抗体の親和力等）を利用して分離に特異性を持たせるものであり、具体的には、キャピラリー管中の泳動溶液に、塩基配列を特異的に認識するアフィニティリガンドを添加しておき、試料を電気泳動させると、試料混合物中で相互作用する分子種だけが移動速度に変化を生じることに着目して分析を行うものである（例えば、特許文献１参照）。
【０００５】
一方、タンパク質は、細胞、組織、生体液中に存在し、生体活動の調節、細胞へのエネルギー供給、重要な物質の合成、生物構造体の維持、さらには細胞間でのコミュニケーションや細胞内情報伝達に関与している。現在では、タンパク質が様々な環境や、相互作用する他のタンパク質の存在、タンパク質が受けた修飾の程度や種類に応じて、複数の機能を有することが明らかになってきている。
【０００６】
タンパク質は、２０種類のアミノ酸が遺伝子の指示（配列情報）により順番につながることでつくられており、その種類は数千万種と言われるが、その遺伝子の配列がわかれば、どのアミノ酸がどういう順番でつながってできているかの情報を得ることができる。生物の遺伝子（ゲノム）から作られるタンパク質の一そろいのセットは、プロテオームと呼ばれるが、ヒトゲノムの塩基配列解読が終わった今、プロテオームの解析が盛んに進められている。
【０００７】
そして、このようなタンパク質の機能解析研究としては、同定やキャラクタリゼーションのみならず、生化学アッセイやタンパク質間相互作用研究、タンパク質ネットワーク、または、細胞内外のシグナリング解明なども行っていく必要がある。このタンパク質機能の研究には、多方面の技術が使用され、酵素アッセイ、酵母Ｔｗｏ−Ｈｙｂｒｉｄアッセイ、クロマトグラフィーによる精製、情報ツールとデータベース等があるが、特に、電気泳動によるたんぱく質の判別は重要な手法である。そして、電気泳動のように、キャピラリー管中のサンプル、分析物、緩衝剤、及び試薬等の液体を移動させた際に得られる輸送反応を検出して、該サンプルの分析、判別、判定等を行う場合の前記液体の輸送及び方向付けに関しては、さまざまな報告がある（例えば、特許文献２〜特許文献５）。
【０００８】
更に近年では、前述したようなキャピラリー電気泳動装置以外として、例えば特許文献６に開示されているような、生体サンプル判別プレートを用いる電気泳動装置も報告されている。
【０００９】
図１２は、特許文献６に示す従来の電気泳動装置の構成を示す図であり、該電気泳動装置４００では、樹脂製の生体サンプル判別プレート１０（以下、単に「プレート」と称す。）として、微細な流路が形成されたものを用いる。そして判別を行う際には、前記プレート１０の流路内にＤＮＡサンプルと分離用ＤＮＡコンジュートとを注入したプレート１０を、トレイ４２２上に搭載し、高速回転モータ４２１によりプレート１０を高速回転させて流路の一部に分離用ＤＮＡコンジュゲートを充填した後、加圧部４２４により流路の所定位置を加圧するとともに、前記高速回転モータ４２１により再度高速回転させて、前記流路中の充填された分離用ＤＮＡコンジュゲートに対してＤＮＡサンプルを定量添加する。そして、モータ４５１によって上下移動される昇降ステージ４５０により、前記プレート１０を上昇させ、嵌合ピン４３４で光学検出部４４０に対してプレート１０を位置決めする共に、クランパ４３６によってプレート１０を固定保持させ、該プレート１０の全流路を覆う大きさを持つヒータ４３３及びセンサ４５５によって流路が所定温度になるよう制御すると共に、プレート１０の流路の所定位置に電圧印加手段４３２ａ，ｂを挿入させる。この状態で、該分離用ＤＮＡコンジュゲートに対して前記電圧印加手段４３２ａ，４３２ｂにより所定の電位勾配をかけて、該分離用ＤＮＡコンジュゲート中でＤＮＡサンプルを電気泳動させながら、同時に低速回転モータ４３１でプレート１０を回転させながら、且つ光学検出部４４０によりプレート１０の流路中を電気泳動するサンプルに付与した蛍光物質に対してレーザやＬＥＤなどで光を照射して、該蛍光物質が発光する蛍光の強度分布を検出する。
【００１０】
従って、従来の電気泳動装置４００によれば、ユーザーがプレート１０にＤＮＡサンプルと分離用ＤＮＡコンジュゲートとを注入して該装置４００にセットすれば、該装置４００側で、すべての処理、すなわち該ＤＮＡサンプルおよび分離用ＤＮＡコンジュゲートのプレート１０の流路への充填処理、ＤＮＡサンプルの電気泳動処理、及び光学検出処理が自動的に行なわれるため、煩雑な準備作業を行うことなく、短時間で正確な検出結果を得ることができる。
【特許文献１】特開平７−３１１１９８号公報
【特許文献２】特表２０００−５１３８１３号公報
【特許文献３】特表２００１−５２３３４１号公報
【特許文献４】特表２０００−５１４９２８号公報
【特許文献５】特開２００３−２８８８３号公報
【特許文献６】国際公開第２００５／０６４３３９号パンフレット
【発明の開示】
【発明が解決しようとする課題】
【００１１】
しかしながら、前述した図１２に示す従来の電気泳動装置４００では、前記プレート１０の全流路を覆う大きさを持つヒータ４３３を、該プレート１０に当接して流路を加熱あるいは冷却する構成を有し、前記プレート上のすべての流路に対して同じ温度で加熱したり冷却したりするものであるため、プレート１０に複数の流路が形成されている場合に、個々の流路毎に異なる温度に設定して温度制御を行うことができなかった。従って、従来の装置４００では、電気泳動条件やＳＮＰｓの分離条件等が異なったサンプルを、同時に同じプレート１０上で分析等する際に対応できない、という不都合があった。
【００１２】
本発明は、前記従来の問題を解決するためになされたものであり、プレート上に形成された複数の流路ごとに異なった温度設定を行なうことができる、取り扱いが容易で、且つ小型で軽量、安価な、電気泳動用プレートを用いた電気泳動装置、及び電気泳動用プレートを提供することを目的とする。
【課題を解決するための手段】
【００１３】
前記問題を解決するために、本発明の電気泳動装置は、流路に充填された緩衝剤中に試料を定量添加し、該試料を電圧印加により電気泳動させる電気泳動装置において、前記流路が複数形成されたプレートと、前記プレートを搭載するためのトレイと、前記プレートの流路内の緩衝剤に電圧を印加するための電圧印加手段と、前記プレートに形成された複数の流路の各々に、温度制御された空気流を吹き出す複数個の吹き出し開口部を有し、該各吹き出し開口部から吹き出す空気流を該各流路に吹き付けて、前記複数の流路の各々を各所定温度に調節する流路温度調節部と、を備えるものである。
これにより、プレート上に形成された複数の流路毎に異なった温度で制御することが可能となるため、当該装置で前記生体サンプルの判別を行えば、一つのプレートで、電気泳動条件やＳＮＰｓの分離条件等が異なる複数のサンプルを、同時に電気泳動させて、正確な検出結果を短時間で得ることができる。
【００１４】
また、本発明の電気泳動装置は、前記流路温度調節部の前記複数個の吹き出し開口部の各々に、前記空気流を各所定温度に加熱するヒータ手段を備えるものである。
これにより、各流路毎に所定温度に制御された空気流を吹き付けることができるため、複数の流路毎に異なった温度で制御することを実現できる。また、前記ヒータを開口部に設けることで、当該装置を小型且つシンプルにすることを実現できる。
【００１５】
さらに、本発明の電気泳動装置は、前記流路温度調節部は、少なくとも一つの冷却手段と、該冷却手段によって冷却される共通室とを有し、前記共通室で所定温度に冷却された空気流を、前記複数個の吹き出し開口部の各々に設けられた前記ヒータ手段で前記各所定温度に加熱し、該各所定温度に温度制御された空気流を、前記プレートの各流路に吹きつけるものである。
これにより、温度制御のための機構を簡単な構成で実現できるため、当該電気泳動装置をより小型且つ軽量で、安価にすることができる。
【００１６】
さらに、本発明の電気泳動装置は、前記流路に対して光を照射する光照射手段と、該光の照射により前記試料から生じる蛍光を検出する蛍光検出手段とを有し、前記流路中を電気泳動する前記試料の光学検出を行なう光学検出部と、前記電圧印加手段を、前記プレートに形成された流路に対して接触させる、または離間させる電圧印加接触・離間手段と、をさらに備え、前記電圧印加接触・離間手段によって、前記電圧印加手段を前記流路に対して接触させて、前記試料を電圧印加により電気泳動させた後、該電圧印加接触・離間手段によって、前記電圧印加手段を前記流路から離間させ、前記光学検出部により光学検出を行うものである。
これにより、前記電圧印加手段と前記プレートとを一体的に駆動する必要がなくなるため、当該装置を小型且つシンプルな構成にすることができる。
【００１７】
さらに、本発明の電気泳動装置は、前記電圧印加手段は、前記トレイの上に配置された前記流路温度調節部の内部に配置されており、該流路温度調節部の前記吹き出し開口部を介して、前記プレートの流路内の緩衝剤に電圧を印加するものである。
これにより、当該装置において、前記電極印加手段を流路温度調節部と一体的に構成することができるため、当該装置全体を小型化することができる。
【００１８】
さらに、本発明の電気泳動装置は、前記複数個の吹き出し開口部は、前記プレートの各流路をほぼ覆う面積を持つものである。
これにより、前記前記プレートに形成された各流路ごとに、所定温度に制御した空気流を確実に吹き付けて、温度制御することが可能となる。
【００１９】
さらに、本発明の電気泳動装置は、前記吹き出し開口部の出口形状は、前記吹き出し開口部から吹き出す空気が、前記プレートの中心から外側へ向かう方向に流れるように、斜めにカットされているものである。
これにより、一つの吹き出し開口部から吹き出した空気流が隣接流路へ流れることがほとんどなく、他の流路の温度制御に影響を及ぼすことを低減することができる。
【００２０】
また、本発明の電気泳動用プレートは、流路に充填された緩衝剤中に試料を定量添加し、該試料を電圧印加により電気泳動させる電気泳動装置に用いられる、前記流路が複数個形成された電気泳動用プレートにおいて、該電気泳動用プレートの前記形成された隣接する流路の間に、スリットが設けられているものである。
これにより、前記プレートに形成されたすべての流路において、該流路間の熱伝導が起こりにくくなるため、流路ごとの温度制御を確実に行うことができる。
【００２１】
さらに、本発明の電気泳動用プレートは、前記流路間に設けられた前記スリットに、断熱材が嵌め込まれているものである。
これにより、前記プレートの強度を確保しながら、該プレートに形成されたすべての流路において、該流路ごとの温度制御を確実に行うことができる。
【００２２】
さらに、本発明の電気泳動用プレートは、前記断熱材は、前記電気泳動用プレートを構成する材料より断熱効果の高い材料で構成されているものである。
これにより、流路間の熱伝導が起こりにくくなり、該流路ごとの温度制御を確実に行うことができる。
【００２３】
また、本発明の電気泳動用プレートは、流路に充填された緩衝剤中に試料を定量添加し、該試料を電圧印加により電気泳動させる電気泳動装置に用いられる、前記流路が複数個形成された電気泳動用プレートにおいて、該電気泳動用プレートの前記形成された隣接する流路の間に、該プレートの厚みを増やした領域が設けられているものである。
これにより、前記プレートの強度を確保しながら、該プレートに形成されたすべての流路において、該流路間の熱伝導を起こりにくくして、該流路ごとの温度制御を確実に行うことができる。
【発明の効果】
【００２４】
本発明の電気泳動装置によれば、充填された緩衝剤中に定量添加された試料を電気泳動させるための流路が複数形成されたプレート上の、該複数の流路に対して、個々の流路毎に温度制御された空気流を吹き出す流路温度調節部を備えるようにしたので、前記プレートの各流路ごとに異なる温度調節を行うことが可能となるため、各流路において、電気泳動させるＤＮＡサンプルに応じた電気泳動時の温度設定ができ、この結果、一つのプレートで、分離条件の異なる複数のサンプルの判定を正確且つ短時間で行なうことができる。
【００２５】
また、本発明の電気泳動装置によれば、前記流路温度調節部を前記プレートを搭載するトレイ上に配置し、前記プレートの各流路に充填された緩衝剤に電圧印加するための電圧印加手段を前記流路温度調節部の内部に配置し、さらに、該電圧印加手段を前記プレートに対して接触させる、または離間させる電圧印加接触・離間手段を備えるようにしたので、当該電気泳装置の構成をより小型化することができる。
【００２６】
本発明の電気泳動用プレートによれば、該プレート上に形成された隣接する流路間に、隣接流路間での熱伝導による影響を妨げるための、該プレートを貫通するスリットを設けるようにしたので、各流路の正確な温度制御性能を得ることが可能となり、この結果、信頼性の高い電気泳動及びＳＮＰ分離及び光検出結果を得ることができる。
【発明を実施するための最良の形態】
【００２７】
（実施の形態１）
以下、本実施の形態１における電気泳動装置１００について説明する。
本発明は、生体サンプルを緩衝剤中で移動させて、生物学的、酵素的、免疫学的、及び化学的アッセイを行う電気泳動装置において、電気泳動条件やＳＮＰｓの分離条件等が異なる複数の生体サンプルの判別を同時に行うことを実現するものである。
【００２８】
なお、本実施の形態１では、説明を具体的にするために、前記生体サンプルがＤＮＡサンプルで、前記緩衝剤が分離用ＤＮＡコンジュゲート及びＤＮＡ結合制御剤を含むもの（以下、単に「分離用ＤＮＡコンジュゲート」と称す。）であるとし、本電気泳動装置１００が、流路中に充填させた分離用ＤＮＡコンジュゲート中に、定量された前記ＤＮＡサンプルを添加して電気泳動させ、該流路中の蛍光強度あるいは吸光度を検出して、該ＤＮＡサンプルのＳＮＰｓ（一塩基多型）の有無を判別するものとする。
【００２９】
まず、図１、図２を用いて、本実施の形態にかかる電気泳動装置１００の構成について説明する。図１は、本実施の形態にかかる電気泳動装置１００の構成図である。
【００３０】
本実施の形態にかかる電気泳動装置１００は、分離用ＤＮＡコンジュートが充填され、該充填された分離用ＤＮＡコンジュゲート中にＤＮＡサンプルが定量及び添加される流路１１０が形成されたプレート１０を搭載するトレイ２２と、該トレイ２２と共にプレート１０を回転駆動させるトレイ駆動手段２０と、該流路１１０中の前記分離用ＤＮＡコンジュゲートに電圧を印加する電圧印加手段３０と、前記電圧印加により移動する分離用ＤＮＡコンジュゲート中のＤＮＡサンプルの移動状態を検出するために、前記プレート１０に光を照射し、該ＤＮＡサンプルの蛍光強度あるいは吸光度を対物レンズ１０６により検出する光学検出部４０とを備える。
【００３１】
そして、前記トレイ２２上には、前記プレート１０の各流路１１０を個別に温度制御可能な流路温度調節部４５が設けられ、この流路温度調節部４５には、プレート１０側に突き出した形状を有する吹き出し開口部４６が、前記電気泳動するための流路１１０ａと同じ数だけ配設されている。
【００３２】
このように、前記トレイ２２上に流路温度調節部４５を設けることで、例えば図４（ａ）に示されるような、同心円状に複数個の流路１１０が形成されたプレート１０の、該各流路１１０の特に電気泳動用流路１１０ａを含んだ領域（図４のａ部）に対して、周囲温度に対して加熱あるいは冷却した空気流を個別に吹きつけて、前記電気泳動用の流路１１０ａ毎に温度制御することが可能となる。
【００３３】
以下、図２、図５及び図６を用いて、流路温度調節部４５の構成について詳細に説明する。図２は、本実施の形態１における流路温度調節部４５の構成を示す図であり、図６は、流路温度調節部４５の吹き出し開口部４６の形状の例を示す断面図である。また、図５は、該吹き出し開口部４６から吹きだされる温度調節された空気流の流れ方向を示す図である。
【００３４】
前記流路温度調節部４５は、図１及び図２に示すように、周囲の温度より低温になるよう温度制御がなされる共通室３９と、前記流路温度調節部４５から前記プレート１０の各流路１１０上に吹きつける前記複数個の吹き出し開口部４６とからなる。
【００３５】
前記共通室３９には、加熱、及び冷却の両方の温度制御が可能なベルチェ素子等を用いた加熱冷却デバイス３３と、該加熱冷却デバイス３３により局所的に温度制御された空気を攪拌するファン３４とが設けら、前記各吹き出し開口部４６には、その内壁に、前記共通室３９にて冷却された空気を、各開口部４６毎にその温度より高い各所定温度に温度制御するヒータ４８と、該開口部４６より吹き出す空気の温度をモニタするためのサーミスタ４９とが設けられている。
【００３６】
また、前記各吹き出し開口部４６の形状は、一つの吹き出し開口部４６から吹き出される温度制御された空気流が、前記プレート１０上の一つの流路１１０のみに吹き付けられるように、前記プレート１０の形状、あるいは該プレート１０に形成された流路の形状や配置に応じたものとする。
【００３７】
例えば、本実施の形態１では、プレート１０上に、同心円状に複数個の流路の各流路１１０が、同心円状となる位置に、かつ相互に隣接して形成されているため、図５に示すように、該空気が吹き付けられた領域から、該空気が、プレート１０の外縁部へ逃げていくような構成とする必要がある。
【００３８】
よって、本実施の形態１の前記各吹き出し開口部４６の形状は、前記プレート１０に形成された１つの流路１１０をほぼ覆う面積をもつようにすると共に、該開口部４６の出口形状を、図６（ａ）に示されるように、プレート中心側（図中のｘ側）から、プレート外縁側（図中のｙ側）へ、斜めにカットした形状としたり、あるいは、図６（ｂ）に示すように、プレート中心側（図中のｘ側）からプレート外縁側（図中のｙ側）へ、斜めにカットするとともに、前記プレート１０への吹き出し空気の吹き付け角度βが９０度以下となるように、該プレート中心側（図中のｘ側）に空気の流れを変化させる弁を形成したりするようにする。
【００３９】
このようにすれば、前記流路温度調節部４５の共通室３９で、ある一定温度に冷却された空気を、前記各吹き出し開口部４６毎に、該開口部４６の内壁に設けられたヒータ４８で所望の温度に加熱した空気を、複数個ある前記電気泳動するための流路１１０ａ付近のそれぞれに対して、半径方向の中心側から外縁側へ吹き出すことができるため、一つの吹き出し開口部から吹き出した空気流が隣接流路に流れることがほどんどなく、前記プレート１０上の各流路１１０毎に、異なる温度設定をすることが可能になる。なお、前記説明では、前記各吹き出し開口部４６が、前記プレート１０に形成された１つの流路１１０をほぼ覆う面積をもつものとしたが、該流路１１０のうち電気泳動が行われる領域の温度が所定温度になればよいので、該各吹き出し開口部４６は、各流路１１０の少なくともＤＮＡサンプルが電気泳動する領域（図４のａ部）を覆う面積があればよい。
【００４０】
さらに、本実施の形態１では、プレート１０における各流路１１０毎の温度制御性能をさらに上げるために、図４（ａ），（ｂ）に示すように、プレート１０上に形成された隣接流路１１０間に、該プレート１０を貫通するスリット４７を設けるようにする。図４は、本実施の形態１におけるプレートの構成を示す図であり、図（ａ）は流路形成面を示す図であり、図（ｂ）はプレートの断面図であり、図（ｃ）は、プレートに形成された流路を詳細に示す図である。なお、本実施の形態１のプレート１０に形成された流路１１０の詳細な構成については図４（ｃ）を用いて後述する。
【００４１】
図４（ａ）に示すように、前記スリット４７は、プレート１０の半径方向に長軸を持ち、その長さは、温度制御する電気泳動するための流路１１０ａの、プレート１０上での半径方向の長さよりも十分長くする。これにより、前記プレート１０に形成された隣接する流路間における熱伝導によって、各流路１１０の温度制御の精度に影響が及ぼされることを極力抑えることができる。
【００４２】
ところで、前述したようにして、前記プレート１０にスリット４７を設ける場合、該プレート１０に形成される流路が多くなればなるほどスリットの数も増えるため、プレート１０の強度が問題となる。
【００４３】
このような場合は、例えば、図７（ａ）に示すように、前記スリット４７に、スリット断熱材１５１として、前記プレート１０の構成材料（例えばアクリル）とは異なった材料で、且つ該プレート１０の構成材料よりも熱伝導率の低い材料（例えばＰＶＣなど）を充填するようにする。このようにすれば、プレート１０の強度が得られると共に、プレート１０を例えばアクリル単体で構成する場合と比較して、隣接流路への熱伝導を軽減することができる。
【００４４】
また、前記スリット４７の代わりに、図７（ｂ），（ｃ）に示すように、隣接流路間に前記プレート１０の厚みを増した領域であるプレート厚み調節部１５０を設ける形状としてもよい。このようにすれば、前記隣接流路間での熱伝導による熱平衡に至るまでの時間を長くできるため、温度制御をしたい領域（電気泳動のための流路１１０ａ）に対して、温度制御した空気流を吹き付けている間、隣接流路へ熱伝導しにくくできる。なお、前記プレート１０の流路間に設けるプレート厚み調節部１５０の厚みや幅は、装置構成上支障とならない範囲であればよい。
【００４５】
本実施の形態１の前記トレイ駆動手段２０には、駆動源としてのモータ５１と、該トレイ２２を高速回転駆動させるための高速回転切換ギア２１ａと、該トレイ２２を低速回転駆動させるための低速回転切換ギア２１ｂとが切換可能な状態で設けられており、これにより、モータ５１による前記トレイ２２の高速回転と低速回転とを可能にしている。
【００４６】
前記電圧印加手段３０は、電圧を印加するための複数個の電極プローブ３２ａ〜３２ｉと、該複数個の電極プローブ３２ａ〜３２ｉを電気的に接続して固定する電極プローブ基板２７と、該電極プローブ基板２７に固定された複数個の電極プローブ３２ａ〜３２ｉを前記プレート１０に対して接触させる、または離間させる電圧印加接触・離間手段８０とを備える。前記電圧印加接触・離間手段８０は、該電極プローブ基板２７をプレート１０に対して上下移動させるための、ＤＣモータなどである駆動モータ８１と、該駆動モータ８１により移動された電極プローブ基板２７の位置を検出する電極高さ検出センサ８２とを含み、これにより、前記電極プローブ基板２７を所定位置の間で上下移動させて、前記プレート１０に対して前記電極プローブ３２を接触あるいは離間させることを可能にしている。また、前記各電極プローブ３２には、該電極プローブ３２が、前記電印加手段接触・離間機構８０により前記プレート１０に接触される際の接触圧力を調整するために、その先端部に、圧縮バネなどの内蔵バネ８５が設けられている。
【００４７】
図８は、本実施の形態１において、電圧印加接触・離間手段によって電極プローブが上下に移動した状態をそれぞれ示す図である。前記電極プローブ３２により、前記プレート１０に対して電圧を印加する際には、まず図８（ａ）に示すように、電極高さ検出センサ８２の“ａ”位置に位置する電極プローブ基板２７を、前記駆動モータ８１を駆動させて、図８（ｂ）に示す電極高さ検出センサ８２の“ｂ”位置まで移動させる。これにより、前記各電極プローブ３２を、プレート１０の各電極部（図示せず）に電気的に接触させることが可能となり、流路中に充填された緩衝剤に電圧を印加できる。
【００４８】
そして、前述の電圧印加手段３０による電圧印加が終了後、再度、駆動モータ８１を駆動させ、前記電極プローブ基板２７を、電極高さ検出センサ８２の“ｂ”位置から“ａ”位置まで移動させる。これにより、前記プレート１０の各電極部（図示せず）に接触していた各電極プローブ３２を、前記プレート１０から離間させることができる。
【００４９】
このように、電圧印加部３０に、電極プローブ３２ａ〜３２ｉをプレート１０に対して接触あるいは離間させる電圧印加接触・離間手段８０を備えるようにすれば、電極印加手段３０をプレート１０と一体的に回転させる機構が必要なくなるため、当該装置１００を小型且つシンプルな構成にすることができる。
【００５０】
本実施の形態１の電気泳動装置１００の筐体は、本体上シャーシ１０１と、本体下シャーシ１０２とからなり、前述した各構成要素のすべてが、該筺体の内部に配置されている。具体的には、前記本体下シャーシ１０２に、前記トレイ２２と、該トレイ２２の下部に光学検出部４０及び前記トレイ駆動手段２０が配置され、一方、前記本体上シャーシ１０１には、前記電圧印加手段３０が内蔵された流路温度調節部４５が、前記ガイドシャフト２６を介して係止された状態で配置した構成とすることにより、当該装置全体を小型化している。
【００５１】
以下、前記流路温度調節部４５と本体上シャーシ１０１との位置関係との位置関係を説明する。
前記流路温度調節部４５と、前記本体上シャーシ１０１とは、前述したようにガイドシャフト２６を介して接続されており、該ガイドシャフト２６は、その一端が前記本体シャーシ１０１に、もう一端が前記流路温度調節部４５の上面に接続されている。前記ガイドシャフト２６には、弾性部材として圧縮バネ２５が、該シャフト２６と同軸に設けられ、前記ガイドシャフト２６の長さは、前記本体上シャーシ１０１を閉じた際に、前記流路温度調節部４５の下壁の一部が、前記位置決めピン係止部２１１に対して若干オーバーストロークの位置になるように設定され、本体上シャーシ１０１に対して前記流路温度調節部４５の全体が弾性的に係止される。
【００５２】
従って、前記本体上シャーシ１０１を閉じた際には、該本体上シャーシ１０１と共に前記流路温度調節部４５が移動して前記トレイ２２上に配置され、前記流路温度調節部４５に設けられた位置決めピン２１０が、本体下シャーシ１０２の位置決めピン係止部２１１に接触するまで、前記ガイドシャフト２６の圧縮バネ２５が圧縮されていき、前記位置決めピン２１０と、位置決めピン係止部２１１とが接触した時点で前記流路温度調節部４５が停止し、前記流路温度調節部４５の位置が決定される。一方、装置１００の本体上シャーシ１０１を開ける操作を行なうと、図３に示すように、該本体上シャーシ１０１に係止された流路温度調節部４５が、該本体上シャーシ１０１と共に前記トレイ２２から十分離間する位置まで退避し、これにより、前記トレイ２２が露出するため、該トレイ２２上にプレート１０を搭載したり、或いは測定済みのプレート１０を該トレイ２２から取り外したりすることができる。
【００５３】
ところで、前述したように、前記本体上シャーシ１０１を閉じた際、前記流路温度調節部４５は、前記ガイドシャフト２６の圧縮バネ２５により、前記本体下シャーシ１０２に押し付けられているため、前記プレート１０から離間する方向に付勢されている状態にある。そして、本実施の形態１では、この状態で前記電圧印加接触・離間手段８０により電極プローブ３２ａ〜３２ｉを下降させ、該各電極プローブ３２を前記内蔵ばね８５を介して前記プレート１０に押し付けて接触させて電圧印加を行う。従って、電極印加時には、前記各電極プローブ３２は、その先端に設けられた内蔵バネ８５と、前記ガイドシャフト２６の圧縮バネ２５との２つの弾性体によって、２段階で前記プレート１０に対して離間する方向に付勢される。
【００５４】
このとき、該電極プローブ３２の内蔵バネ８５の弾性力が、ガイドシャフト２６の前記圧縮バネ２５の弾性力より大きいと、前記電圧印加手段ベースプレート２８に設けられた位置決めピン２１０が、前記本体下シャーシ１０２に設けられた位置決めピン係止部２１１から浮き上がることとなり、結果として該電圧印加手段３０全体がプレート１０から離れる方向に付勢されて、該電極プローブ３２のプレート１０に設けられた電極部への押し圧が小さくなってしまい、該電極プローブ３２と前記プレート１０の電極との接触抵抗が大きくなったり、接触不良となったりするために正確な電気泳動時の電圧が印加できないなどの不具合が発生する。
【００５５】
従って、本実施の形態１では、前記内蔵バネ８５が所定量の撓みを受けたときの弾性力の総計が、前記電圧印加手段３０を係止している圧縮バネ２５が所定量の撓みを受けたときに発生する弾性力の総計よりも小さくなうよう設定するようにする。
【００５６】
なお、本電気泳動装置１００には、前述した構成に加え、従来装置同様、前記トレイ２２の真下に、該トレイ２２上のプレート１０の位置を確認するプレート確認センサ２３、前記電圧印加手段３０の電極プローブ３２ａ〜３２ｉに接続されている高圧電源６６、装置１００全体の動作を制御する制御基板６８、装置電源（図示せず）、当該装置のｏｎ、ｏｆｆ状態を切り換える電源スイッチ（図示せず）、該電源スイッチがＯＮ状態の際に点灯するＬＥＤ（図示せず）、装置１００内を冷却する冷却ファン６４、及び装置１００を振動から守り、高さ調節可能なゴム脚６５などが備えられている。
【００５７】
ここで、図４（ｃ）を用いて、本実施の形態１で使用するプレート１０に形成される流路１１０の一例を説明する。
図４（ｃ）に示すように、流路１１０は、微小な幅と深さを持つ溝によって形成された微細な流路であり、本実施の形態１では、プレート１０上に同じ形状の流路１１０が同心円状に８つ設けられている。前記流路１１０には、コンジュゲート注入口３０６と、サンプル注入口３０８が設けられ、該コンジュゲート注入口３０６から注入された分離用ＤＮＡコンジュゲートは、コンジュゲート注入部３０７で一旦保持され、前記サンプル注入口３０８から注入されたＤＮＡサンプルは、サンプル注入部３０９で一旦保持される。また、３１２は正電極が挿入される正電極部であり、３１３は負電極が挿入される負電極部である。これらは、流路３１４を介して接続されており、さらには、流路３１０，３１１によりコンジュゲート注入部３０７ともそれぞれ接続されている。また、前記正電極部３１２及び負電極部３１３には、導電性のフィルム１２（図示せず）が貼り付けられており、電極プローブ３２が該フィルム１２に接触し、該フィルムに電圧を印加すると、該電極部３１２，３１３に充填される分離用ＤＮＡコンジュゲートに電圧が印加される。そして、３１６，３１８，３２１は、それぞれチャンバー部、サンプル保持部、バッファ部であり、前記チャンバー部３１６は、流路３１５を介して前記サンプル注入部３０９と接続され、前記サンプル保持部３２０は、流路３１７，３１８を介して前記チャンバー部３１６と接続され、前記バッファ部３２１は、流路３１７，３１８，３１９を介して、前記チャンバー部３１６及び前記サンプル保持部３２０と接続されている。さらに前記バッファ部３２１は、流路３２２により空気抜きが可能となる。３２３はサンプル定量部であり、流路３１４と流路３１９との合流部分に設けられており、この部分でＤＮＡサンプルの定量が行なわれる。そして、前記電極部３１２，３１３とを接続する電気泳動用流路１１０ａにおいて、ＤＮＡサンプルの電気泳動が行なわれる。
【００５８】
次に、図９〜図１１を用いて、以上に示すような流路１１０が、同心円状に複数個形成されたプレート１０を用いて、本実施の形態１の電気泳動装置１００でＤＮＡサンプルのＳＮＰｓの判別を行った場合の一連の動作について説明する。
【００５９】
まず、当該装置１００の本体上シャーシ１０１を開け、分離用ＤＮＡコンジュゲートとＤＮＡサンプルとが各流路１１０中に注入されたプレート１０を、トレイ２２上にセットする。このとき、プレート１０の嵌合孔１１にトレイ２２の嵌合ピン３１を挿入し、該プレート１０をトレイ２２に対して位置決めする。
【００６０】
そして、装置１００の本体上シャーシ１０１を閉じることで、前記本体上シャーシ１０１にガイドシャフト２６で係止された流路温度調節部４５をトレイ２２上に配置させ、該流路温度調節部４５に設けられた位置決めピン２１０と、前記本体下シャーシ１０２の位置決めピン係止部２１１とが当接する状態になるまで、前記流路温度調節部４５が、前記ガイドシャフト２６に設けられた圧縮バネ２５により、位置決めピン係止部２１１に押し付ける。
【００６１】
次に、前記トレイ駆動手段２０により前記トレイ２２を高速回転させ、プレート１０に添加された分離用ＤＮＡコンジュゲートを電気泳動用流路１１０ａ中に充填させると共に、前記サンプル定量部３２３において、ＤＮＡサンプルを前記充填された分離用ＤＮＡコンジュゲート中に定量添加する。具体的には、本実施の形態１では、前記トレイ２２を、前記トレイ駆動手段２０のモータ５１により一定時間高速回転させた後、急停止させ、その後再度数秒間中速回転させる。図１０は、本実施の形態１で用いられるプレート１０に注入された分離用ＤＮＡコンジュゲート及びＤＮＡサンプルの移動状態を示しており、図（ａ）は、高速回転開始から一定時間経過後の状態を示し、図（ｂ）は、高速回転を急停止させた直後の状態を示し、図（ｃ）は、中速回転後の状態を示している。
このような充填処理により、前記サンプル定量部３２３に残存したＤＮＡサンプルがＳＮＰｓの判別を行なう最終試料となる。
【００６２】
この後、前記流路温度調節部４５から、各流路１１０の電気泳動用流路１１０ａに対して、所定温度に温度制御された空気を吹き付け、各電気泳動用流路１１０ａ毎に温度制御した後、図９に示すように、前記電圧印加手段３０の電極プローブ３２ａ〜３２ｉを、前記電圧印加接触・離間手段８０により、前記電極部３１２，３１３上のフィルム１２に当接させて電圧を印加することで、前記ＤＮＡサンプルを電気泳動させる。図９は、本実施の形態１において電圧印加動作中の、流路温度調節部４５、電極プローブ、プレート、対物レンズそれぞれの位置関係を示す図である。
【００６３】
本実施の形態１では、前述した電圧印加手段３０による電圧印加動作と、光学検出部４０による光検出動作とを交互に行うシーケンス制御を行なうため、前記電圧印加接触・離間手段８０により、前記電極プローブ３２ａ〜３２ｉを前記プレート１０から離間させてから、前記電気泳動用流路１１０ａ中を電気泳動するＤＮＡサンプルの移動状態を、前記光学検出部４０により検出する。
【００６４】
具体的には、前記電圧印加接触・離間手段８０により、前記電極プローブ３２を所定位置（図８の“ａ”位置）まで上昇させ、その状態で、前記トレイ２２をトレイ駆動手段２０のモータ５１により低速回転させながら、電気泳動用流路１１０ａに励起光を照射し、該電気泳動用流路１１０ａからの蛍光強度を読み取る。
【００６５】
このように、本実施の形態１では、電気泳動動作と光検出動作とを同時に進行させずに、前記電圧印加手段３０による電圧印加動作中は、前記光検出部４０による光検出動作を停止し、前記光検出部４０による光検出動作中は、前記電圧印加手段３０による電圧印加動作を停止するようにしたので、前記電圧印加手段３０と前記トレイ２２とを一体的に回転する機構が必要なくなり、当該装置１００の構成を単純化できる。また、前述したように、電気泳動のための高電圧を電圧印加手段３０からプレート１０側へ供給する動作と、プレート１０を回転させる動作とを別々に行なうので、電力供給機構も単純化できる効果も得られる。
【００６６】
本実施の形態１では、前記電気泳動動作を、前記流路１１０中の正電極部３１２及び負電極部３１３に電極プローブ３２を接触させ、数百Ｖの電圧を印加することで行なう。これにより、プレート１０内のＤＮＡサンプルは、電気泳動用流路１１０ａ内に充填された分離用ＤＮＡコンジュゲート中で電気泳動され、該電気泳動用流路１１０ａ中をＡ方向に移動していく。この移動中、前記ＤＮＡサンプルは、前記分離用ＤＮＡコンジュゲートとの結合を繰り返しながら電気泳動する。この時、前記ＤＮＡサンプル中の正常型ＤＮＡは、分離用ＤＮＡコンジュゲートとの結合力が強いため、泳動速度が遅くなり、一方、ＤＮＡサンプル中の変異型ＤＮＡは、分離用ＤＮＡコンジュゲートとの結合力が弱いため、前記正常型ＤＮＡに比べ泳動速度は速くなる。つまり、前記ＤＮＡサンプル中に正常型ＤＮＡ、及び変異型ＤＮＡの両方が存在した場合は、正常型ＤＮＡと変異型ＤＮＡが分離していくこととなり、ＳＮＰｓの判別が行なえる。
【００６７】
また、前述した光検出動作は、例えば、蛍光標識（例えばＦＩＴＣ）を修飾したＤＮＡを４７０ｎｍの光で励起し、５２０ｎｍ付近の光検出により行なった。図１１は、このとき得られるＤＮＡサンプルの移動状態を示すグラフであり、横軸が光検出を行う領域である電気泳動用流路１１０ａ上の位置を表し、ＤＮＡサンプルは左から右へ泳動する。つまり、左側がサンプル定量部３２３で、右側が正電極部３１２側である。縦軸は蛍光強度で、上から１分毎に計時変化した波形を表す。図１１から、徐々に２つの山が分離していく様子がわかる。グラフ右側の山が泳動速度が速いので変異型ＤＮＡ、左側の山が泳道速度が遅いので正常型ＤＮＡとなる。すなわち、この場合ＤＮＡサンプル中には同量の正常型ＤＮＡと変異型ＤＮＡが存在していることが判定された。なお、前記検出を、２６０ｎｍの吸光度を用いて行なってもよい。
【００６８】
そして、前記光学検出部４０による光検出動作が終了後、該測定済みのプレート１０をトレイ２２から取り出す。この場合、装置１００の本体上シャーシ１０１を開けて、該本体上シャーシ１０１に係止された前記流路温度調節部４５を、前記トレイ２２から十分離間する位置まで退避させ、それにより露出した前記プレート１０を、該トレイ２２上から取り外す。
【００６９】
以上のように、本実施の形態１によれば、前記プレート１０に形成された複数の流路１１０に対して、個々の流路１１０毎に温度制御された空気流を吹き出す複数個の吹き出し開口部４６を含む流路温度調節部４５を、該プレート１０を搭載したトレイ２２上に配置し、該各吹き出し開口部４６の内壁には、前記流路温度調節部４５内部に設けられた加熱冷却デバイス３３にて冷却された空気を所望の温度に加熱するヒータ４８を設けたので、前記各吹き出し開口部４６から吹き付けられる空気によって、前記プレート１０の各電気泳動用流路１１０ａごとに異なる温度調節を行うことが可能となるため、各電気泳動用流路１１０ａにおいて、電気泳動させるＤＮＡサンプルに応じた電気泳動時の温度設定ができ、この結果、一つのプレートで、ＳＮＰの分離条件の異なる複数のサンプルの判定を行なうことができる。
【００７０】
また、本実施の形態１によれば、前記プレート１０上の隣接流路間に、隣接流路間での熱伝導による影響を妨げるための、該プレート１０を貫通するスリット４７を設けるようにしたので、各電気泳動用流路１１０ａの正確な温度制御性能を得ることが可能となり、この結果、信頼性の高い電気泳動及びＳＮＰ分離及び光検出結果を得ることができる。
【００７１】
さらに、前記プレート１０上の隣接流路間に設けたスリット４７に、プレート１０を構成する材料より断熱効果の高い断熱材１５１をはめ込んだり、或いは前記スリット４７の代わりにプレートの厚みを増した領域１５０を設けるようにすれば、熱伝導による影響を妨ぐとともに、前記プレート１０に強度をもたせることもできる。
【００７２】
なお、本実施の形態１では、プレート１０に形成された微細流路１１０に、前記ＤＮＡサンプル及び分離用ＤＮＡコンジュゲートを充填させて定量化する充填動作を、プレート１０をモータ５１などのプレート駆動手段２０で遠心充填及び定量化するものとして説明したが、これに限るものではなく、プレートを回転させず遠心力以外の空気圧などで移動させて充填し、その微細流路内で生化学的な反応をさせる方式の装置に対しても適用されることは言うまでもない。
【産業上の利用可能性】
【００７３】
本発明の電気泳動装置は、ＤＮＡサンプル等の生体サンプルの判別を、安価で、且つ簡便に行えるようにするものとして有用である。
【図面の簡単な説明】
【００７４】
【図１】本発明の実施の形態１における、電気泳動装置の構成を示す図である。
【図２】本発明の実施の形態１における電気泳動装置の流路温度調節部の構成例を示す断面図である。
【図３】本発明の実施の形態１における電気泳動装置の本体上シャーシを開けた状態を示す図である。
【図４】本発明の実施の形態１におけるプレートの構成例を示す図であり、図（ａ）はプレートの流路形成面であり、図（ｂ）はプレートの断面であり、図（ｃ）はプレートに形成された流路を詳細に示す図である。
【図５】本発明の実施の形態１における、温度調節された空気流の流れ方向を示す図である。
【図６】本発明の実施の形態１における電気泳動装置の吹き出し開口部の構成例を示す断面図である。
【図７】本発明の実施の形態１における、プレートの別の構成例を示す断面図であり、図（ａ）は断熱材をスリット内に設けた構成例を示し、図（ｂ），（ｃ）はプレート厚み調節部を設けた構成例を示す。
【図８】本発明の実施の形態１における駆動手段による電極プローブ基板の上下移動状態を示す図であり、図（ａ）は、電極プローブが前記プレートから離間した状態を示し、図（ｂ）は、電極プローブが前記プレートに接触した状態を示す。
【図９】本発明の実施の形態１における、プレート上の流路と、吹き出し開口部と、電極プローブとの位置関係を示す図である。
【図１０】本発明の実施の形態１におけるプレートに形成された流路中を、分離用ＤＮＡコンジュゲートが充填される状態、及びＤＮＡサンプルが該分離用ＤＮＡコンジュゲートに定量添加される状態をを示す図である。
【図１１】本発明の実施の形態１におけるプレートに形成された流路において、ＤＮＡサンプルが充填された分離用ＤＮＡコンジュゲート中を移動していく様子の蛍光強度分布を示す図である。
【図１２】従来の電気泳動装置の一実施例を示した図である。
【符号の説明】
【００７５】
１０  プレート
１１  嵌合ピン孔
１２  フィルム
２０  トレイ駆動手段
２１ａ  高速回転切換ギア
２１ｂ  低速回転切換ギア
２２  トレイ
２３  プレート確認センサ
２５  圧縮バネ
２６  ガイドシャフト
２７  電極基板ユニット
３０  電圧印加手段
３２ａ〜３２ｉ  電極プローブ
３３  加熱冷却デバイス
３４  ファン
３９  共通室
４０  光学検出部
４５  流路温度調節部
４６  吹き出し開口部
４７  スリット
４８  ヒータ
４９  サーミスタ
５１  モータ
６４，４６４  冷却ファン
６５  ゴム脚
６６  高圧電源
６８  制御基板
８０  電圧印加接触・離間手段
８１  駆動モータ
８２  電極高さ検出センサ
８５  内蔵バネ
１００，４００  電気泳動装置
１０１  本体上シャーシ
１０２  本体下シャーシ
１０６  対物レンズ
１１０  流路
１１０ａ  電気泳動用流路
１５０  プレート厚み調節部
１５１  スリット断熱材
２１０  位置決めピン
２１１  位置決めピン係止部
３０６  コンジュゲート注入口
３０７  コンジュゲート注入部
３０８  サンプル注入口
３０９  サンプル注入部
３１０，３１１，３１４，３１５，３１７，３１８，３１９，３２２  流路
３１２  正電極部
３１３  負電極部
３１６  チャンバー部
３２０  サンプル保持部
３２１  バッファ部
３２３  サンプル定量部
４２１  高速回転モータ
４２４  加圧部
４３１  低速回転モータ
４３２ａ，ｂ  電圧印加手段
４３３  ヒータ
４３４  嵌合ピン
４３６  クランパ
４５０  昇降ステージ
４５１  モータ
４５５  センサ
Ａ  泳動方向
【図１】
2007187587.tif 000003
【図２】
2007187587.tif 000004
【図３】
2007187587.tif 000005
【図４】
2007187587.tif 000006
【図５】
2007187587.tif 000007
【図６】
2007187587.tif 000008
【図７】
2007187587.tif 000009
【図８】
2007187587.tif 000010
【図９】
2007187587.tif 000011
【図１０】
2007187587.tif 000012
【図１１】
2007187587.tif 000013
【図１２】
2007187587.tif 000014